(57)【要約】      （修正有）【課題】ペダルを漕ぐ運動により得られるエネルギー、または歩行運動等により得られるエネルギーを、有効活用することが可能となる運動器具を提供する。【解決手段】人または動物の歩行或いは走行運動に用いられる運動器具であって、回転移動可能に張架され、回転移動によって、その上での歩行或いは走行運動を可能とする無端ベルト１０と、ペダル１９Ｌ，１９Ｒを有し、ペダルを漕ぐ力を用いて無端ベルトの回転移動が行われるようにする第１動力伝達、または、無端ベルトを回転移動させる力を用いてペダルを回転させる第２動力伝達を行う動力伝達機構１８とを備える。【選択図】図７
0003193546.tif 000002
【実用新案登録請求の範囲】
【請求項１】
人または動物の歩行或いは走行運動に用いられる運動器具であって、
回転移動可能に張架されており、前記回転移動によって、その上での前記歩行或いは走行運動を可能とする無端ベルトと、
ペダルを有し、前記ペダルを漕ぐ力を用いて前記回転移動が行われるようにする第１動力伝達、または、前記無端ベルトを回転移動させる力を用いて前記ペダルを回転させる第２動力伝達を行う動力伝達機構と
を備えたことを特徴とする運動器具。
【請求項２】
前記動力伝達機構は、第１動力伝達を行う請求項１に記載の運動器具。
【請求項３】
前記ペダルを前回りに漕ぐ使用者と、前記無端ベルト上で前進の歩行或いは走行運動を行う人または動物とが、略向かい合うように構成された請求項２に記載の運動器具。
【請求項４】
前記無端ベルトを張架支持する２個のローラ部材と、
前記２個のローラ部材を回転可能に支持するフレームとを有し、
前記動力伝達機構は、
前記ペダルを漕ぐ力を用いて、前記２個のローラ部材の一方を回転させる請求項２または請求項３に記載の運動器具。
【請求項５】
前記フレームに、前記ペダル部を漕ぐ使用者により把持される把持部が設けられた請求項４に記載の運動器具。
【請求項６】
前記フレームに、前記無端ベルト上の空間をサイド方向へ仕切るフェンス部材が設けられた請求項４または請求項５に記載の運動器具。
【考案の詳細な説明】
【技術分野】
【０００１】
本考案は、人または動物の歩行或いは走行運動に用いられる運動器具に関する。
【背景技術】
【０００２】
従来、人や動物の歩行或いは走行運動（以下の説明では「歩行運動等」と称することがある）に用いられる運動器具が提案されている。例えば特許文献１や特許文献２には、電力を用いて無端ベルトを回転移動させ、その上で動物の歩行運動等が可能となるように構成されたトレッドミルが開示されている。
【先行技術文献】
【特許文献】
【０００３】
【特許文献１】特開2009-112216号公報
【特許文献２】実公平7-24053号公報
【考案の概要】
【考案が解決しようとする課題】
【０００４】
上記のトレッドミルによれば、電力を使って無端ベルトを自動的に駆動させることが可能であるが、その分、電力を消費してしまうことになる。省エネルギー等の観点から、このような電力消費は抑えられることが望ましい。
【０００５】
また、例えばペットを飼っている動物愛好家において、ペットに歩行運動等を行わせる際、その飼い主（使用者）も一緒に運動を楽しみたいという要望があることも考えられる。このような場合に、使用者がペダルを漕ぐ運動により得られるエネルギーを無端ベルトの駆動に利用できれば、使用者も一緒に運動を楽しむことが出来るとともに、電力消費等を抑えることが可能になると考えられる。なお、無端ベルト上での歩行運動等により得られるエネルギーをペダルの駆動に利用できる場合には、例えばリハビリテーション等に有用と考えられる。
【０００６】
本考案は上記の課題に鑑み、ペダルを漕ぐ運動により得られるエネルギー、または歩行運動等により得られるエネルギーを、有効活用することが可能となる運動器具の提供を目的とする。
【課題を解決するための手段】
【０００７】
本考案に係る運動器具は、人または動物の歩行或いは走行運動に用いられる運動器具であって、回転移動可能に張架されており、前記回転移動によって、その上での前記歩行或いは走行運動を可能とする無端ベルトと、ペダルを有し、前記ペダルを漕ぐ力を用いて前記回転移動が行われるようにする第１動力伝達、または、前記無端ベルトを回転移動させる力を用いて前記ペダルを回転させる第２動力伝達を行う動力伝達機構とを備えた構成とする。本構成によれば、ペダルを漕ぐ運動により得られるエネルギーまたは歩行運動等により得られるエネルギーを有効活用することが可能となる。
【０００８】
また、上記構成としてより具体的には、前記動力伝達機構は、第１動力伝達を行う構成としてもよい。また、上記構成としてより具体的には、前記ペダルを前回りに漕ぐ使用者と、前記無端ベルト上で前進の歩行或いは走行運動を行う人または動物とが、略向かい合うように構成されていてもよい。
【０００９】
本構成によれば、使用者は人または動物の顔を見ながら一緒に運動を楽しむことが可能となる。なお、ここでの「略向かい合う」とは、お互いが完全に真正面に向かい合う形態に限られるものではなく、お互いの顔を見ることに支障のない範囲でやや斜め向きに向かい合う形態も含む概念である。
【００１０】
また、上記構成としてより具体的には、前記無端ベルトを張架支持する２個のローラ部材と、前記２個のローラ部材を回転可能に支持するフレームとを有し、前記動力伝達機構は、前記ペダルを漕ぐ力を用いて、前記２個のローラ部材の一方を回転させる構成としてもよい。
【００１１】
また、上記構成としてより具体的には、前記フレームに、前記ペダル部を漕ぐ使用者により把持される把持部が設けられた構成としてもよい。本構成によれば、使用者はペダルを漕ぐ際に体勢をより安定させることが可能となる。
【００１２】
また、上記構成としてより具体的には、前記フレームに、前記無端ベルト上の空間をサイド方向へ仕切るフェンス部材が設けられた構成としてもよい。本構成によれば、動物等が無端ベルト上から左右へ離脱すること等を防ぎ易くなる。
【考案の効果】
【００１３】
本考案に係る運動器具によれば、ペダルを漕ぐ運動により得られるエネルギー、または歩行運動等により得られるエネルギーを、有効活用することが可能となる。
【図面の簡単な説明】
【００１４】
【図１】本実施形態に係るトレッドミルの外観斜視図である。
【図２】本実施形態に係るトレッドミルの上方視点による外観図である。
【図３】本実施形態に係るトレッドミルの右方視点による外観図である。
【図４】本実施形態に係るトレッドミルの前方視点による外観図である。
【図５】本実施形態に係るトレッドミルの左方視点による外観図である。
【図６】本実施形態に係るトレッドミルの後方視点による外観図である。
【図７】本実施形態に係るトレッドミルの使用形態に関する説明図である。
【考案を実施するための形態】
【００１５】
本考案の実施形態について、各図面を参照しながら以下に説明する。
【００１６】
［トレッドミルの構成］
図１は、本実施形態に係るトレッドミル１（運動器具）の外観斜視図である。なお、以下の説明において、上下左右および前後の各方向は、図１に示す通りであるとする。また、図２〜図６のそれぞれは、トレッドミル１を上方、右方、前方、左方、および後方のそれぞれから見た外観図である。
【００１７】
図１〜図６の各図に示すようにトレッドミル１は、無端ベルト１０、各水平フレーム部材（１１Ｆ、１１Ｂ、１１Ｌ、１１Ｒ）、左後側支持部材１２Ｌ、右後側支持部材１２Ｒ、中間支持部材１３、後側ローラ部材１４、前側ローラ部材１５、各上方突出部（１６ＬＦ、１６ＬＢ、１６ＲＦ、１６ＲＢ）、把持部１７、動力伝達部１８、左右のペダル（１９Ｌ、１９Ｒ）、前側支持部材２０、および左右のフェンス部材（２１Ｌ、２１Ｒ）を有している。
【００１８】
各水平フレーム部材（１１Ｆ、１１Ｂ、１１Ｌ、１１Ｒ）は、それぞれ略棒状となっており、図２に示すように、前後左右へ広がる矩形状フレームＦＲを形成している。各水平フレーム部材（１１Ｆ、１１Ｂ、１１Ｌ、１１Ｒ）は互いにしっかりと固定されており、これにより、強固な矩形状フレームＦＲが形成されている。
【００１９】
前側の水平フレーム部材１１Ｆは、矩形状フレームＦＲの前側の辺を形成するように、左右方向へ伸びるように配置されている。また、後側の水平フレーム部材１１Ｂは、矩形状フレームＦＲの後側の辺を形成するように、左右方向へ伸びるように配置されている。
【００２０】
更に、左側の水平フレーム部材１１Ｌは、矩形状フレームＦＲの左側の辺を形成するように、前後方向へ伸びるように配置されている。また、右側の水平フレーム部材１１Ｒは、矩形状フレームＦＲの右側の辺を形成するように、前後方向へ伸びるように配置されている。
【００２１】
また、矩形状フレームＦＲは、左後側の位置において左後側支持部材１２Ｌに連結し、右後側の位置において右後側支持部材１２Ｒに連結している。また、矩形状フレームＦＲは、前側の位置において中間支持部材１３に連結している。
【００２２】
これらの各支持部材（１２Ｌ、１２Ｒ、１３）は、矩形状フレームＦＲから下向きに突出している。そのため矩形状フレームＦＲは、これらの支持部材（１２Ｌ、１２Ｒ、１３）によって地面から一定の距離を保つよう支持される。
【００２３】
また、矩形状フレームＦＲの後側には、後側ローラ部材１４が取り付けられ、当該フレームの前側には、前側ローラ部材１５が取り付けられている。各ローラ部材（１４、１５）は、左右方向を回転軸として回転可能に取り付けられており、無端ベルト１０を回転移動可能な形態で張架支持する役割を果たす。
【００２４】
これにより無端ベルト１０は、各ローラ部材（１４、１５）の間においてほぼ水平方向に張架された状態となる。そして無端ベルト１０の回転移動によって、人や動物がその上で歩行運動等を行うことが可能となる。なお、前側ローラ部材１５の左端は、動力伝達部１８への連結が可能となるように、左側の水平フレーム部材１１Ｌより左方へ突出している。
【００２５】
また、矩形状フレームＦＲの上側には、各上方突出部（１６ＬＦ、１６ＬＢ、１６ＲＦ、１６ＲＢ）が、上方へ垂直に突出するように設けられている。左前側の上方突出部１６ＬＦは、左後側の上方突出部１６ＬＢ、右前側の上方突出部１６ＲＦ、および右後側の上方突出部１６ＲＢは、それぞれ矩形状フレームＦＲの左前側の位置、左後側の位置、右前側の位置、および右後側の位置から突出している。
【００２６】
各上方突出部（１６ＬＦ、１６ＬＢ、１６ＲＦ、１６ＲＢ）は略棒状となっている。なお、本実施形態では、左後側の上方突出部１６ＬＢと左後側支持部材１２Ｌは一体の部材となっており、右後側の上方突出部１６ＲＢと右後側支持部材１２Ｒは一体の部材となっている。
【００２７】
また、左前側の上方突出部１６ＬＦと左後側の上方突出部１６ＬＢは、左側のフェンス部材２１Ｌを張架している。左側のフェンス部材２１Ｌは、無端ベルト１０上の空間を左サイド側へ仕切るためのシート状の部材である。
【００２８】
また、右前側の上方突出部１６ＲＦと右後側の上方突出部１６ＲＢは、右側のフェンス部材２１Ｒを張架している。右側のフェンス部材２１Ｒは、無端ベルト１０上の空間を右サイド側へ仕切るためのシート状の部材である。
【００２９】
矩形状フレームＦＲの左寄り前方には、動力伝達部１８が設けられている。動力伝達部１８は、前側ローラ部材１５の左端付近に連結されており、更に、左右のペダル（１９Ｌ、１９Ｒ）と前側支持部材２０が取り付けられている。
【００３０】
左右のペダル（１９Ｌ、１９Ｒ）は、動力伝達部１８の前方に居る後向きの使用者が、足で漕ぐことが出来るように配置されている。左側のペダル１９Ｌは当該使用者の右足で漕がれ、右側のペダル１９Ｒは当該使用者の左足で漕がれることになる。
【００３１】
前側支持部材２０は、下側が地面に接触するように配置されており、使用者が左右のペダル（１９Ｌ、１９Ｒ）を漕いでも動力伝達部１８が安定するように、動力伝達部１８をしっかりと支持する。また、動力伝達部１８は、カバーの内部に動力伝達のための機構を有しており、ペダル（１９Ｌ、１９Ｒ）が漕がれるときの動力を前側ローラ部材１５へ伝達して、前側ローラ部材１５を回転させる。
【００３２】
なお、動力伝達のための機構としては、例えば一般的な自転車に用いられている機構、或いはこれに準じた機構が適用され得る。より具体的には、チェーンやスプロケット等が使われるチェーン駆動方式の機構、或いは、歯付ベルトや歯付プーリー等が使われるベルト駆動方式の機構などが適用され得る。但し、動力伝達部１８の具体的な形態は、ペダル（１９Ｌ、１９Ｒ）が漕がれるときの動力を前側ローラ部材１５へ適切に伝達し得る限り、特に限定されない。
【００３３】
また、左前側の上方突出部１６ＬＦの上側先端、および、右前側の上方突出部１６ＲＦの上側先端からは、斜め上前方へ同じ長さだけ伸びるように部材が延長している。そしてこれらの延長した部材の先端部は、左右方向へ伸びる把持部１７を介して繋がっている。把持部１７は、ペダル（１９Ｌ、１９Ｒ）を漕ぐ使用者よって把持され易い位置に配置されている。
【００３４】
［トレッドミルの使用形態］
図７は、動物Ｙ（ここでは一例としてペットの犬）に歩行運動等をさせる場合のトレッドミル１の使用形態を示す説明図（右方から見た図）である。なお、無端ベルト１０上の様子等を分かり易くするため、右側フェンス部材２１Ｒ等については輪郭のみを示している。
【００３５】
ここで先述した動力伝達部１８は、右方から見て、ペダル（１９Ｌ、１９Ｒ）が反時計回りに漕がれると、前側ローラ部材１５を反時計回りに回転させるように構成されている。そのため図７に示すように、使用者Ｘがペダル（１９Ｌ、１９Ｒ）を前回りに（反時計回りの回転方向Ｒ１へ）漕ぐと、無端ベルト１０は前側ローラ部材１５の動きに連動して、反時計回りの回転方向Ｒ２へ回転移動することになる。
【００３６】
トレッドミル１の使用に際しては、まず、無端ベルト１０上に動物Ｙが前向きに乗せられる。このとき、無端ベルト１０の左右側には各フェンス部材（２１Ｌ、２１Ｒ）が配置されているため、動物Ｙが無端ベルト１０上から左右へ離脱することは極力防がれる。
【００３７】
なお、動物Ｙの首輪に繋がったリード紐などを、例えば把持部１７の中央付近に取り付けておいても良い。また、無端ベルト１０と左右の水平フレーム部材（１１Ｌ、１１Ｒ）との隙間に、動物Ｙの爪等が嵌まり込まないように配慮されていることが望ましい。例えば当該隙間が生じないように、或いは、当該隙間が十分に小さくなるように配慮されていることが望ましい。
【００３８】
そして使用者Ｘは、トレッドミル１の前方に置かれた椅子３０へ後ろ向きに座り、自転車を漕ぐときと同じ様にペダル（１９Ｌ、１９Ｒ）を前回り方向へ漕ぐ。このとき使用者Ｘは、把持部１７を持っておくことにより、体勢をより安定させることが出来る。
【００３９】
なお、使用者Ｘによってペダル（１９Ｌ、１９Ｒ）は回転方向Ｒ１へ漕がれるため、無端ベルト１０は回転方向Ｒ２へ回転移動し、その結果、無端ベルト１０の動物Ｙが乗っている部分は後方へ移動する。これにより動物Ｙは、後方へ流されないように（現位置に留まろうとして）、前進の歩行運動等を行うことになる。
【００４０】
このようにトレッドミル１を使用しているとき、ペダル（１９Ｌ、１９Ｒ）を前回りに漕ぐ使用者Ｘは後方を向き、無端ベルト１０上で前進の歩行運動等を行う動物Ｙは前方（使用者Ｘとは反対の方向）を向いている。そして使用者Ｘは、動物のＹの略前方（厳密には、前方のやや左寄り）に位置している。
【００４１】
すなわち、トレッドミル１は、このような使用に際して、使用者Ｘと動物Ｙとが略向かい合うように構成されている。そのため使用者Ｘは、動物Ｙの様子（調子）を見ながら一緒に運動を楽しむことができる。
【００４２】
また、使用者Ｘは、ペダル（１９Ｌ、１９Ｒ）を漕ぐ力を加減することにより、動物Ｙの歩行或いは走行の速さを調節することが出来る。すなわち使用者Ｘは、ペダル（１９Ｌ、１９Ｒ）を強く漕ぐことにより、動物Ｙに強めの歩行運動等をさせることができ、ペダル（１９Ｌ、１９Ｒ）を弱く漕ぐことにより、動物Ｙに弱めの歩行運動等をさせることができる。
【００４３】
なお、トレッドミル１には、例えば把持部１７の近傍に、無端ベルト１０の回転移動を停止させるためのブレーキが設けられていても良い。これにより使用者Ｘは必要に応じて、無端ベルト１０の回転移動を速やかに停止させることができる。
【００４４】
また、本実施形態では、使用者Ｘが座る椅子３０はトレッドミル１とは別に用意されているが、その代わりに、椅子３０がトレッドミル１と一体的に（例えば前側支持部材２０と繋がるように）設けられていても良い。更に、把持部１７の位置や椅子の３０の高さ等は、使用者Ｘの体格に合わせて調節可能となっていても良い。
【００４５】
なお、上記の使用形態では、トレッドミル１は動物Ｙの歩行運動等に用いられているが、同様にして人の歩行運動等に用いることも可能である。一例としては、親である使用者Ｘがペダル（１９Ｌ、１９Ｒ）を漕ぎ、子供に歩行運動等をさせるという使い方が可能である。
【００４６】
また、以上に説明した通り、動力伝達部１８は、ペダル（１９Ｌ、１９Ｒ）を漕ぐ力を用いて無端ベルト１０の回転移動が行われるようにする動力伝達（第１動力伝達）を行う。但し動力伝達の形態に関して、動力伝達部１８は、無端ベルト１０を回転移動させる力を用いてペダル（１９Ｌ、１９Ｒ）を回転させる動力伝達（第２動力伝達）を行うように構成されても良い。
【００４７】
このようにすれば、無端ベルト１０上の使用者がその場で歩行運動等を行う（無端ベルト１０を後方へ蹴る動作を行う）ことにより、ペダル（１９Ｌ、１９Ｒ）を回転させることが可能である。これにより、例えば、体の不自由な患者の両足をペダル（１９Ｌ、１９Ｒ）に乗せておき、補助者が無端ベルト１０の上で歩行運動等を行うことによって、患者の足をペダル（１９Ｌ、１９Ｒ）ごと動かすことができ、患者のリハビリテーションに役立てることが可能である。なお、動力伝達部１８は、上述した第１動力伝達と第２動力伝達の両方が可能となるように構成されていても良い。このようにすれば、トレッドミル１の用途をより広げることが可能となる。
【００４８】
以上に説明した通り、トレッドミル１は、人または動物の歩行或いは走行運動に用いられる運動器具であって、無端ベルト（回転移動可能に張架されており、前記回転移動によって、その上での前記歩行或いは走行運動を可能とする）と、動力伝達機構（ペダルを有し、使用者が前記ペダルを漕ぐ力を用いて前記回転移動が行われるようにする）とを備えている。
【００４９】
そのためトレッドミル１によれば、例えば、動物等と一緒に飼い主も運動することができる。また、電動で駆動するものに比べて電力消費等を抑えることが可能となる。さらに、トレッドミル１によれば、電力を駆動力に変換するための機構を要しないため、構成の簡略化が容易である。
【００５０】
以上、本考案の実施形態について説明したが、本考案はこの内容に限定されるものではない。また、本考案の実施形態は、考案の趣旨を逸脱しない限り、種々の改変を加えることが可能である。
【符号の説明】
【００５１】
１      トレッドミル（運動器具）
１０    無端ベルト
１１Ｆ、１１Ｂ、１１Ｌ、１１Ｒ    水平フレーム部材
１２Ｌ  左後側支持部材
１２Ｒ  右後側支持部材
１３    中間支持部材
１４    後側ローラ部材
１５    前側ローラ部材
１６ＬＦ、１６ＬＢ、１６ＲＦ、１６ＲＢ    上方突出部
１７    把持部
１８    動力伝達部
１９Ｌ、１９Ｒ    ペダル
２０    前側支持部材
２１Ｌ、２１Ｒ    フェンス部材
Ｘ      使用者
Ｙ      動物
【図１】
0003193546.tif 000003
【図２】
0003193546.tif 000004
【図３】
0003193546.tif 000005
【図４】
0003193546.tif 000006
【図５】
0003193546.tif 000007
【図６】
0003193546.tif 000008
【図７】
0003193546.tif 000009